(57)【要約】【課題】無線システム内でＨＡＲＱを使用してソフト・ハンド・オフのモードで動作中に移動局装置と一対の基地局の間の通信を制御するための方法を提供すること。【解決手段】ソフト・ハンド・オフのモードで動作中に、移動局装置が複数の基地局と通信し、複数の基地局の各々からＮＡＣＫおよびＡＣＫ信号の形で複数のフィードバック信号を受信する。移動局装置はこれらフィードバック信号の各々の信頼性を判定し、信頼性のある信号を合成し、もしもＡＣＫ信号が受信されなければ古い情報を再送信する。他方で、１つでも信頼性のあるＡＣＫ信号を受信することは結果として、新たなデータが複数の基地局へと配信されることにつながる。【選択図】  図１Ａ
2006087120.tif 000002
【特許請求の範囲】
【請求項１】
通信システムを制御するための方法であって、
第１の情報パケットを第１および第２の基地局へと伝達する工程と、
前記第１の基地局から肯定応答信号、および前記第２の基地局から否定応答信号を受信する工程と、
第２の情報パケットが新たな情報パケットであることを少なくとも前記第２の基地局に伝達する工程とを含む方法。
【請求項２】
前記受信された肯定応答信号および否定応答信号の信頼性を判定する工程をさらに含む、請求項１に記載の方法。
【請求項３】
前記受信された肯定応答信号および否定応答信号の信頼性を判定する工程がさらに、信号の各々に付随する信号対干渉比に基づき、前記受信された肯定応答信号および否定応答信号の信頼性を判定する工程を含む、請求項２に記載の方法。
【請求項４】
予め選択された閾値を超えると判定された信頼性を有する前記受信された肯定応答信号および否定応答信号を合成する工程をさらに含む、請求項２に記載の方法。
【請求項５】
前記第２の情報パケットが新たな情報パケットであることを少なくとも前記第２の基地局に伝達する工程がさらに、前記合成された肯定応答信号および否定応答信号の関数として新たな情報を含む第２の情報パケットを送信する工程を含む、請求項４に記載の方法。
【請求項６】
前記第２の情報パケットが新たな情報パケットであることを少なくとも前記第２の基地局に伝達する工程がさらに、前記第２の情報パケットが新たな情報パケットであることを示す前記第２の情報パケットを備えた情報を含める工程を含む、請求項１に記載の方法。
【請求項７】
前記第２の情報パケットが新たな情報パケットであることを少なくとも前記第２の基地局に伝達する工程がさらに、前記第２の情報パケットが新たな情報パケットであることを示す前記第２の情報パケットから分離した信号を供給する工程を含む、請求項１に記載の方法。
【請求項８】
前記第２の情報パケットが新たな情報パケットであることを示す前記第２の情報パケットから分離した信号を供給する工程がさらに、移動局装置から前記分離信号を供給する工程を含む、請求項７に記載の方法。
【請求項９】
前記第２の情報パケットが新たな情報パケットであることを示す前記第２の情報パケットから分離した信号を供給する工程がさらに、無線リンク制御器から前記分離信号を供給する工程を含む、請求項７に記載の方法。
【請求項１０】
無線システムを制御するための方法であって、
第１の情報パケットを受信する工程と、
否定応答信号を送信する工程と、
第２の情報パケットが新たな情報パケットであるという通信を受信する工程とを含む方法。
【発明の詳細な説明】
【技術分野】
【０００１】
本発明は概して通信に関し、さらに特定すると無線通信に関する。
【背景技術】
【０００２】
セル方式携帯電話のような無線通信の分野では、システムは通常、そのシステムによってサービス提供される地域内に配分された複数の基地局を有する。その結果、その地域内の様々な固定局または移動局のユーザは基地局のうちの１つまたは複数を介してこのシステムに、およびその結果として他の相互接続された通信システムにアクセスすることが可能となる。通常、移動局の装置は、ユーザが移動すると移動局の装置が地域を通過するので１つの基地局およびその後に他の基地局と通信することによって通信を維持する。移動局の装置は最も近い基地局、最も強い信号を伴なった基地局、通信を受け入れるために充分な容量を備えた基地局などと通信することが可能である。
【０００３】
普通は、移動局の装置が１つの基地局から別の基地局へと移行するとき、移動局の装置が複数の基地局と通信している時間的期間が存在する。移動局の装置を１つの基地局から別の基地局へと移行させる処理は一般的にソフト・ハンド・オフ（ＳＨＯ）と称される。ＳＨＯの間では、両方の基地局が移動局装置から通信を受けることが可能である。
【０００４】
いくつかの通信システムでは、移動局装置と基地局の間の通信は性能を高めるためのハイブリッド自動再送要求（ＨＡＲＱ）チャンネル符号化技術を使用して達成される。概して、ＨＡＲＱを使用するアップリンクの通信システムでは、移動局装置のような送信器が基地局のような受信器へと情報を送る。基地局が適切にその情報を受信すれば、肯定応答信号（ＡＣＫ）が移動局装置へと送り返され、処理が終わる。他方で、もしも基地局が受信情報に誤りを検出すれば、それは否定応答信号（ＮＡＣＫ）を移動局装置へと送る。移動局装置は符号化された情報の異なるセットを再送信することによってＮＡＣＫに応答する。移動局装置が基地局からＡＣＫを受信するまで、または予め選択された数（例えば３回）の試みが為されるまでこの処理が反復する。
【発明の開示】
【発明が解決しようとする課題】
【０００５】
しかしながら、ＳＨＯの間ではＨＡＲＱ技術は問題となる可能性が高い。ＳＨＯの間では移動局装置は複数の基地局（例えば２つの基地局ＡとＢ）と通信しているので、リンクの不均衡、および一層強いリンクに関して軽減する内部ループの電力制御結合方策に起因して、基地局Ａが情報を適切に受信してＡＣＫを送り返し、その一方で基地局Ｂはそうではなく、代わりにＮＡＣＫを送り返す可能性が高い。この状況では、もしも移動局装置が基地局ＢからのＮＡＣＫを無視して「新たな」情報を伝達すると、基地局Ｂはこの「新たな」情報を「古い」情報の冗長バージョンの再送信として誤って解釈する可能性が高い。同様に、もしも移動局装置が基地局ＡからのＡＣＫを無視して「古い」情報を再送信すると、基地局Ａはこのその再送信を「新たな」情報の送信として誤って解釈する可能性が高い。どちらのシナリオも効率的で信頼性のある通信システムにおいては望ましくない。
【０００６】
本発明は上述した問題のうちの１つまたは複数の影響を克服または少なくとも低減することを指向する。
【課題を解決するための手段】
【０００７】
本発明の一態様で、通信システムを制御するための方法が提供される。本方法は情報の第１のパケットを第１および第２の基地局へと伝達する工程を含む。その後、肯定応答信号が第１の基地局から受信され、否定応答信号が第２の基地局から受信される。その後、情報の第２のパケットが情報の新たなパケットであるという通信が少なくとも第２の基地局へと送られる。
【０００８】
本発明の他の態様で、通信システムを制御するための方法が提供される。本方法は情報の第１のパケットを複数の基地局へと伝達する工程、および複数の基地局のうちの少なくとも一部から肯定応答信号と否定応答信号のうちの一方を受信する工程を含む。その後、情報の第２のパケットが複数の基地局へと伝達され、情報の第２のパケットは複数の基地局からの少なくとも１つの肯定応答信号の受信に応答した新たな情報を含む。否定応答信号を与える基地局のうちの少なくとも一部は情報の第２のパケットが新たな情報を含むという連絡を送られる。
【０００９】
本発明のさらに別の態様で、通信システムを制御するための方法が提供される。本方法は情報の第１のパケットを受信する工程、および否定応答信号を送る工程を含む。その後、情報の第２のパケットが新たな情報を含むという連絡が受信される。
添付の図面と関連付けて為される以下の説明を参照することによって本発明は理解されることが可能であり、図中では類似した参照番号は類似した素子を特定している。
【発明を実施するための最良の形態】
【００１０】
本発明は様々な改造例および代替選択肢の形を受け入れる余地があるが、図面ではその特定の実施形態が範例の方式で示されており、ここで詳細に説明される。しかしながら、ここでの特定の実施形態の説明が本発明を開示された特定の形に限定するように意図されておらず、反対にその意図が添付の特許請求項によって規定されるような本発明の精神と範囲の中に入るすべての改造例、同等例、および代替選択肢を包含することであることは理解されるはずである。
【００１１】
本発明の具体例の実施形態が以下で述べられる。明瞭化の利点のために、本明細書では実際の実行例のすべての特徴が述べられるわけではない。いずれのそのような実際の実施形態の開発でも、実行例と実行例で変わるであろうシステム関連および業務関連の制約条件への準拠といった開発者固有の目標を達成するために多くの実行例固有の決定が為されなければならないことはもちろん理解されるであろう。さらに、そのような開発努力は複雑で時間を消費する可能性が高いが、それでもなおこの開示の恩典を得る当業者にとって決まりきった仕事であろうことは理解されるであろう。
【００１２】
ここで図面、特に図１Ａを参照すると、本発明の一実施形態による通信システム１００が例示されている。具体的に示す目的で図１Ａの通信システム１００はＵｎｉｖｅｒｓａｌ  Ｍｏｂｉｌｅ  Ｔｅｌｅｐｈｏｎｅ  Ｓｙｓｔｅｍ（ＵＭＴＳ）であるが、しかしデータおよび／または音声通信をサポートする他のシステムに本発明が応用可能であり得ることは理解されるはずである。通信システム１００は１台または複数の移動局装置１２０が１つまたは複数の基地局１３０を経由してインターネットのようなデータ・ネットワーク１２５および／または公衆交換電話網（ＰＳＴＮ）１６０と通信することを可能にする。移動局装置１２０は携帯電話、パーソナル・デジタル・アシスタント（ＰＤＡ）、ラップトップ・コンピュータ、デジタル・ページャ、無線カード、および基地局１３０を通じてデータ・ネットワーク１２５および／またはＰＳＴＮ１６０にアクセスすることが可能ないずれかの他の装置を含めた様々な装置のいずれの形もとることが可能である。
【００１３】
一実施形態では、複数の基地局１３０はＴ１／Ｅ１回線もしくは回路、ＡＴＭ回路、ケーブル、光デジタル加入者回線（ＤＳＬ）などといった１つまたは複数の接続１３９によってＲａｄｉｏ  Ｎｅｔｗｏｒｋ  Ｃｏｎｔｒｏｌｌｅｒ（ＲＮＣ）１３８に連結されることが可能である。１つのＲＮＣ１３８が例示されているけれども、多数の基地局１３０とのインターフェースをとるために複数のＲＮＣ１３８が利用され得ることを当業者は理解するであろう。概して、ＲＮＣ１３８はそれが接続される基地局１３０を制御し、調和良く組み合わせるように動作する。図１のＲＮＣ１３８は概してレプリケーション、通信、ランタイム、およびシステム管理のサービスを提供し、下記のさらなる詳細で検討されるように基地局１３０間のＳＨＯ中に移動局装置１２０の特定の送信に付随するＡＣＫ／ＮＡＣＫ状態を伝達することに関与することが可能である。
【００１４】
図１Ｂに例示されるように、システム１００によってサービス提供される地域１７０は複数の地域もしくはセルへと分けられ、各々が別々の基地局１３０に付随する。通常、各々のセルは複数の隣り合った隣接セルを有する。例えば、セル１７５は６つの隣接セル１７６〜１８１を有し、それにより、セル１７５に入る移動局装置１２０は隣接セル１７６〜１８１のうちの１つから移動することが可能である。したがって、移動局装置１２０が隣接セル１７６〜１８１のうちのいずれかからセル１７５に入るときにＳＨＯが生じることが可能である。
【００１５】
図１Ａに戻ると、ＲＮＣ１３８はＴ１／Ｅ１回線もしくは回路、ＡＴＭ回路、ケーブル、光デジタル加入者回線（ＤＳＬ）などといった様々な形のうちのいずれかをとることが可能な接続１４５を介してＣｏｒｅ  Ｎｅｔｗｏｒｋ（ＣＮ）１６５へと連結されることもやはり可能である。概して、ＣＮ１６５はデータ・ネットワーク１２５および／または公衆交換電話網（ＰＳＴＮ）１６０へのインターフェースとして動作する。ＣＮ１６５はユーザの認証といった様々な機能および操作をするが、しかしＣＮ１６５の構造と動作の詳細な説明は本発明の理解および評価に必要ではない。したがって、不必要に本発明を分かりにくくすることを避けるために、ＣＮ１６５のさらなる詳細は本明細書では述べられない。
【００１６】
このようにして、当業者は移動局装置１２０がデータ・ネットワーク１２５および／またはＰＳＴＮ１６０と通信することを通信システム１００が可能にすることを理解するであろう。しかしながら、図１Ａの通信システム１００の構成が性質的に範例であり、本発明の精神と範囲から逸脱することなく通信システム１００の他の実施形態でさらに少ない構成要素または追加の構成要素が使用され得ることは理解されるはずである。
【００１７】
別に特定して述べない限り、あるいはこの検討から明らかであるが、「処理する」、「演算する」、「計算する」、「判定する」、または「表示する」などといった用語はコンピュータ・システムまたは同様の電子演算装置の活動または処理に関し、コンピュータ・システムのレジスタの中の物理的、電子的な量を表わすデータを操作または変換し、コンピュータ・システムのメモリもしくはレジスタもしくは他のそのような情報保存部、伝送または表示装置の中の物理的な量として同様に表わされる他のデータの中に保存する。
【００１８】
ここで図２を参照すると、範例となる基地局１３０および移動局装置１２０に付随する機能構造の一実施形態のブロック図が示されている。基地局１３０はインターフェース・ユニット２００、制御器２１０、アンテナ２１５、および複数のチャンネル、例えば共有チャンネル２２０、データ・チャンネル２３０、制御チャンネル２４０を有する。例示された実施形態では、インターフェース・ユニット２００は基地局１３０とＲＮＣ１３８（図１Ａ参照）との間の情報の流れを制御する。制御器２１０は、概して、データの送受信の両方を制御し、アンテナ２１５および複数のチャンネル２２０、２３０、２４０全体にわたる信号を制御し、かつ受信情報の少なくとも一部をインターフェース・ユニット２００経由でＲＮＣ１３８へと伝達するように動作する。
【００１９】
移動局装置１２０は或る一定の機能属性を基地局１３０と共有する。例えば、移動局装置１２０は制御器２５０、アンテナ２５５、および複数のチャンネル、例えば共有チャンネル２６０、データ・チャンネル２７０、制御チャンネル２８０を有する。制御器２５０は、概して、データの送受信の両方を制御し、かつアンテナ２５５および複数のチャンネル２６０、２７０、２８０全体にわたる信号を制御するように動作する。
【００２０】
普通では、移動局装置１２０内のチャンネル２６０、２７０、２８０は基地局１３０内の対応するチャンネル２２０、２３０、２４０と通信する。制御器２１０、２５０の動作の下で、チャンネル２２０、２６０；２３０、２７０；２４０、２８０は移動局１２０から基地局１３０への通信の制御されたスケジューリングを達成するために使用される。
【００２１】
概して、移動局装置１２０はそれがネットワーク内で動作することが可能な第１と第２の状態を有する。第１の状態では、移動局装置１２０は複数の基地局１３０と連絡を取っており、それはしばしばソフト・ハンド・オフ（「ＳＨＯ」）または比率制御型モードの動作と称される。第２の状態である「タイム・スケジュール型」モードの動作では、移動局装置１２０はサービス提供基地局と呼ばれる１つの基地局１３０のみと連絡している。本明細書に述べられる方法論は、移動局装置１２０がＳＨＯモードの動作にあるときにアップリンク上で移動局装置の送信を制御することに有用である。以下の説明および図はＳＨＯモードの動作に入り、出るときの移動局装置１２０に関連して与えられる。本発明を不必要に分かりにくくすることを避けるために「タイム・スケジュール型」モードの動作の詳細な説明は本明細書に提示されない。
【００２２】
ここで図３を参照すると、図１および２の基地局１３０のうちの２つである基地局Ａと基地局Ｂ、移動局装置１２０のうちの１つ、およびＲＮＣ１３８の相互運用を例示するフロー図が示されている。図３のフロー図では、移動局装置１２０が基地局Ａおよび基地局Ｂの両方と通信中しているように移動局装置１２０に関してＳＨＯが進行中であることが想定されている。初期では、移動局装置１２０は基地局Ａに付随するセルの中にあり、基地局Ｂに付随するセルに近づくかまたは入りつつある。
【００２３】
概して３００で示される第１の実施形態では、移動局装置１２０は基地局Ａおよび基地局Ｂの両方に対してデータ・チャンネル２７０上のデータ・パケットのような情報を送信する（３０５）。基地局Ａによって情報が適切に受信されたことを示す肯定応答（ＡＣＫ）信号が基地局Ａによって移動局装置１２０へと配信されているように例示されている（３１０）。しかしながら基地局Ｂがそのデータ・パケットに誤りを検出したと想定すると、そのとき基地局Ｂは否定応答（ＮＡＣＫ）信号を移動局装置１２０へと返信する（３１５）。移動局装置１２０はＡＣＫおよびＮＡＣＫ信号を基地局ＡおよびＢからそれぞれ受信し、それらの信号を処理する（３２０）。特に、移動局装置１２０はデータ・パケットが基地局のうちの少なくとも一方によって適切に受信されたことを判定し、それはいくつかの用途では効率的な動作を保証するために適切である可能性が高い。したがって、ここで移動局装置１２０はデータの「新たな」パケットを送信することが自由であるが、しかし次のデータ・パケットが「古い」データ・パケットの再送信ではないことを基地局Ｂに伝達することが望ましい。この情報は様々な形で基地局Ｂへと伝達されることが可能である（３２５）。例えば、移動局１２０はＨＡＲＱ処理が完了したこと、および次のデータ・パケットが「新たな」データ・パケットとなることを明白に示すことが可能である。この明白な表示はＳＨＯ中のＨＡＲＱの完了を示すためのＬ−１信号伝達を使用して成し遂げられることが可能である。Ｌ−１信号伝達はＥ−ＤＰＣＣＨのようなＥ−ＤＣＨの制御チャンネル内に内蔵されるか、またはＨＡＲＱ処理の情報フィールド内に抱き合わせにされることが可能である。
【００２４】
場合によっては、移動局装置１２０はＨＡＲＱ処理が完了したこと、および次のデータ・パケットが「新たな」データ・パケットとなることを暗示的に示すことが可能である。ＨＡＲＱ処理番号の終わりに１ビットのフィールドが追加されることが可能である。もしも「新たな」フィールドが表示されると、それは前のＨＡＲＱ処理が完了したことを暗示し、ＮＡＣＫ信号を供給した基地局（基地局Ｂ）は前のＨＡＲＱ処理を打ち切り、次のデータ・パケットを「新たな」データとして処理するであろう。このようにしてどちらの実施形態でも基地局Ｂは、それが前のパケット・データに関してＮＡＣＫ信号を送信したことに関係なく、次のデータ・パケットが「新たな」データであることを知らされる。
【００２５】
概して図３の３３０で示される本発明の別の代替選択肢の実施形態では、次のデータ・パケットが「新たな」データであることを基地局Ｂに通知する責務はＲＮＣ１３８上に置かれることが可能である。例えば、ＳＨＯ中に基地局ＡおよびＢはそれらのＡＣＫ／ＮＡＣＫ信号を（３３５および３４０それぞれで）ＲＮＣ１３８へと供給するようにプログラムされることが可能である。その後、ＲＮＣ１３８は前のパケット・データに関して基地局ＢがＮＡＣＫ信号を送信したことに関係なく、次のデータ・パケットが「新たな」データであることを基地局Ｂに伝達することが可能である。
【００２６】
上記で（３２０で）検討したＡＣＫ／ＮＡＣＫ信号の処理がいくつかの用途でさらに複雑にされ得ることを当業者は理解するであろう。いくつかの用途では、基地局１３０から受信された様々なＡＣＫ／ＮＡＣＫ信号が正しいことの信頼性を分析することが有用となり得る。無線リンクの信頼性は各々の基地局から移動局装置に受信されたＡＣＫ／ＮＡＣＫフィードバック・コメントの信頼性に対して強い影響を有する。移動局装置のダウンリンク（ＤＬ）の内部ループ電力制御（ＩＬＰＣ）はＳＨＯ中に多数の無線リンクの中の最良のリンク品質結果に基づいてアップリンク送信電力制御（ＵＬ  ＴＰＣ）命令を発生するような挙動を示すであろう。ＩＬＰＣはリンクをＳＨＯ中に無線リンクの中の最良のリンクへと緩和するように動作する。これはＳＨＯ中のリンクの不均衡を作り出すであろう。ＳＨＯ中のリンクの不均衡は受信されるＡＣＫ／ＮＡＣＫフィードバックの信頼性の大きさの差異を生じさせる可能性が高い。したがって、ＡＣＫ／ＮＡＣＫフィードバックの信頼性を判定するためにＳＨＯ中の各々のリンクの信頼性を測定することが望ましい。信頼性の大きさはＡＣＫ／ＮＡＣＫフィードバックの誤認警報または検出見逃しの可能性を低下させることが可能である。各々の無線リンクに関してＩＬＰＣはＳＨＯ中の各々のリンクの信号対干渉比（ＳＩＲ）を目標のＳＩＲと比較することによって成し遂げられるので、ＳＩＲの大きさはリンクが不均衡化されるときの信頼性の指標として使用されることが可能である。本発明の一実施形態では、ＳＩＲおよび規定される信頼性の閾値は次のようにしてＡＣＫ／ＮＡＣＫフィードバックに関して無線リンクの信頼性を判定するために使用され、
ＳＩＲ≧ＳＩＲＴｈｄ．．．．．．．．信頼性のあるリンク
ＳＩＲ≦ＳＩＲＴｈｄ．．．．．．．．信頼性のないリンク
ここでＳＩＲＴｈｄはＳＩＲ信頼性の大きさの閾値であり、無線リンクの設定および現場のＲＦ最適化に基づいて最適化される。いったんその無線リンクが信頼性のあるリンクと見なされると、特定の基地局から得たＡＣＫ／ＮＡＣＫ情報が合成に使用されることが可能である。
【００２７】
ＳＨＯ中に複数の基地局１３０から多数のＡＣＫ／ＮＡＣＫフィードバックが受信される可能性が高い。リンクの不均衡のせいで、各々の基地局１３０から受信されるＡＣＫ／ＮＡＣＫ信号は独立して処理される。ＳＨＯ中のリンクの不均衡のせいで、ＡＣＫ／ＮＡＣＫフィードバックは信頼性の無いものまたは壊れたものである可能性が高い。受信されたＡＣＫ／ＮＡＣＫ信号の信頼性は上記で検討したアルゴリズムを通じて評価される。受信されたＡＣＫ／ＮＡＣＫ信号のうちのどれが信頼性があるかがいったん判定されると、信頼性のあるＡＣＫ／ＮＡＣＫ信号の各々が合成される。ＡＣＫ／ＮＡＣＫ合成方策は、少なくとも１つの基地局がＡＣＫ信号を供給すればＨＡＲＱ処理が完全であることを判定する。少なくとも１つの信頼性のあるＡＣＫ信号が受信されたという判定は、受信されるいずれの数のＮＡＣＫ信号にも関係なくデータ・パケットが首尾良く送信され、受信されたという判定に結び付く。
【００２８】
２つの基地局、すなわち基地局Ａおよび基地局Ｂを背景にしてＳＨＯモードの動作が上記で述べられたが、ＳＨＯモードの動作が３つ以上の基地局（例えば基地局Ａ、基地局Ｂ、基地局Ｃ．．．）を含み得ることを当業者は理解するであろう。３つ以上の基地局が含まれる場合、第１の基地局Ａに関連するタイミングは、これらの基地局がユーザ装置１２０のもつ動作中の基地局のリストから除去される順序にかかわりなく、他の全ての基地局Ａ、Ｂ、．．．と通信するために維持される。例えば、ユーザ装置１２０が最初に基地局Ａと通信しているが、続いて基地局ＢとのＳＨＯモードの動作に入り、その後に基地局ＣとのＳＨＯモードの動作に入ると仮定すると、これら全ての基地局はユーザ装置１２０にとっての動作中のセットに含まれる。基地局Ａが当該動作中のセットから除去され、基地局Ｂ及びＣが動作中のセットに残されると、ユーザ装置１２０はそれでもなお、基地局Ａに関連するタイミング情報を使用して基地局Ｂ及びＣと通信し続ける。ユーザ装置１２０がＳＨＯモードの動作状態に維持される限り、ユーザ装置１２０は基地局Ａに関連するタイミング情報を使用し続け、１つの基地局のみが当該動作中のセットに残された際に、その唯一の基地局に関連するタイミング情報に再び同期する。
【００２９】
本明細書の様々な実施形態に例示された様々なシステムの層、ルーチン、またはモジュールが（制御器２１０、２５０（図２参照）のような）実行可能な制御ユニットであることが可能であることを当業者は理解するであろう。制御器２１０、２５０はマイクロプロセッサ、マイクロコントローラ、デジタル信号プロセッサ、（１つまたは複数のマイクロプロセッサまたはコントローラを含む）プロセッサ・カード、あるいは他の制御もしくは演算用装置を含むことが可能である。この検討に関連する記憶装置はデータおよび命令を保存するための１つまたは複数の機械読み取り可能な記憶媒体を含むことが可能である。この記憶媒体はダイナミックＲＡＭもしくはスタティックＲＡＭ（ＤＲＡＭもしくはＳＲＡＭ）、消去可能プログラム可能ＲＯＭ（ＥＰＲＯＭ）、電気的消去可能なＰＲＯＭ（ＥＥＰＲＯＭ）、およびフラッシュ・メモリといった半導体メモリ装置、固定ディスク、フロッピー（登録商標）・ディスク、取り外し可能ディスクといった磁気ディスク、テープを含めたその他の磁気媒体、コンパクト・ディスク（ＣＤ）またはデジタル・ビデオ・ディスク（ＤＶＤ）といった光媒体を含めた多様なメモリの形態を含むことが可能である。様々なシステム内の様々なソフトウェアの層、ルーチン、もしくはモジュールを作り上げる命令がそれぞれの記憶装置に保存されることが可能である。制御器２１０、２５０によって実行されるときの命令はプログラムされた活動を対応するシステムに実行させる。
【００３０】
本発明は、本明細書の教示の恩典を得る当業者に明らかな、異なっているが等価的な方式で改造および実行されることが可能であるので、上記に開示された特定の実施形態は単なる具体的な例に過ぎない。さらに、添付の特許請求項に述べられる以外に、本明細書に示される構成もしくは設計の詳細への限定は意図されない。したがって、本方法、システム、および記述した方法とシステムの一部は無線ユニット、基地局、基地局の制御器、および／または携帯電話交換局といった多様な場所に導入されることが可能である。さらに、記述したシステムを導入して使用するために必要とする処理回路は、本明細書の開示の恩典を得る当業者によって理解されるであろうが、特定用途向け集積回路、ソフトウェアで駆動される処理回路、ファームウェア、プログラム可能な論理装置、ハードウェア、以上の部品の個別部品もしくは配列に導入されることが可能である。したがって、上記で開示された特定の実施形態が変形もしくは改造され得ることは明らかであり、すべてのそのような変形例は本発明の範囲と精神の中に入ると見なされる。したがって本明細書に求められる権利保護は添付の特許請求項に述べられる通りである。
【図面の簡単な説明】
【００３１】
【図１Ａ】本発明の一実施形態による通信システムを示すブロック図である。
【図１Ｂ】図１Ａの通信システムが使用されることが可能な地域の様式的表現を示す図である。
【図２】図１の通信システムに使用される基地局と移動局装置の一実施形態を描くブロック図である。
【図３】図１および２の基地局Ａ、基地局Ｂ、および移動局装置の相互運用を具体的に示すフロー図である。
【図１Ａ】
2006087120.tif 000003
【図１Ｂ】
2006087120.tif 000004
【図２】
2006087120.tif 000005
【図３】
2006087120.tif 000006